(57)【要約】【課題】使用時の電源プラグ接続時のロック状態を確実に維持し得る着脱機構を単純な構成で実現する電源プラグ変換ユニットを提供する。【解決手段】電源プラグ変換ユニット本体１３と、電源プラグ変換ユニット本体の一端面に設けられ電源プラグ２の一対の第１プラグピン２１のそれぞれが挿入される複数の第１プラグピン挿入部１３ｃと、電源プラグ変換ユニット本体の他端面から突出して配置され少なくとも一本のピンが突出方向に対し直交方向に移動する複数の変換プラグピン１１，１５と、一対の第１プラグピンが第１プラグピン挿入部に挿入された際には第１プラグピンの着脱をロックし、一対の第１プラグピンが第１プラグピン挿入部に挿入された状態で変換プラグピンの少なくとも一本のピンが突出方向に対し直交方向に移動された際には上記第１プラグピンのロックを解除する着脱機構とを具備してなる。【選択図】図１
2020047579.tif 000002
【特許請求の範囲】
【請求項１】
電源プラグ変換ユニット本体と、
上記電源プラグ変換ユニット本体の一端面に設けられ、電源プラグの一対の第１プラグピンのそれぞれが挿入される複数の第１プラグピン挿入部と、
上記電源プラグ変換ユニット本体の他端面から突出して配置され、少なくとも一本のピンが突出方向に対し直交方向に移動する複数の変換プラグピンと、
上記一対の第１プラグピンが上記第１プラグピン挿入部に挿入された際には上記第１プラグピンの着脱をロックし、上記一対の第１プラグピンが上記第１プラグピン挿入部に挿入された状態で上記変換プラグピンの少なくとも一本のピンが突出方向に対し直交方向に移動された際には上記第１プラグピンのロックを解除する着脱機構と、
を具備したことを特徴とする電源プラグ変換ユニット。
【請求項２】
上記複数の変換プラグピンは、一対の第２プラグピンと、アース用の第３プラグピンとを有し、
上記着脱機構は、上記一対の第１プラグピンが上記第１プラグピン挿入部に挿入された状態で上記第２プラグピンの少なくとも一方のピンが移動された際には上記第１プラグピンのロックを解除することを特徴とする請求項１記載の電源プラグ変換ユニット。
【請求項３】
上記着脱機構は、
一端部が上記一対の第２プラグピンの各々と接続され、他端部が電源プラグ変換ユニット本体に片持ち梁状に支持された一対の板状のバネ部材と、
非導通部材からなり上記一対の板状のバネ部材を連結する連結部材と、
上記一対の板状のバネ部材の少なくとも一方に形成されていて、上記第１プラグピン挿入部に上記一対の第１プラグピンが挿入された際に、当該一対の第１プラグピンの各々に設けられた孔の１つと係合するロック爪と、
を具備したことを特徴とする請求項２記載の電源プラグ変換ユニット。
【請求項４】
上記一対の板状のバネ部材は、
上記一対の第１プラグピンが上記第１プラグピン挿入部に挿入される際には、上記第１プラグピンの少なくとも１つによって上記ロック爪が押圧されることにより上記少なくとも一方の板状のバネ部材が撓んで当該ロック爪が上記第１プラグピンに設けられた上記孔のうちの１つと係合し、
上記第２プラグピンの一方のピンが移動操作された際には当該一方の第２プラグピンの移動に連動して上記連結部材が移動し、上記一対の板状のバネ部材が撓んで上記第１プラグピンのロックを解除することを特徴とする請求項３記載の電源プラグ変換ユニット。
【請求項５】
上記着脱機構は、
上記一対の第１プラグピンが上記第１プラグピン挿入部に挿入された状態で上記第３プラグピンが移動操作された際には、上記第１プラグピンのロックを解除することを特徴とする請求項１記載の電源プラグ変換ユニット。
【請求項６】
上記一対の板状のバネ部材は、
上記一対の第２プラグピンの移動操作に連動して互いに近付く方向に撓むことによって、上記ロック爪と上記孔との係合を外して上記第１プラグピンのロックを解除することを特徴とする請求項１記載の電源プラグ変換ユニット。
【請求項７】
上記一対の板状のバネ部材は、
上記第３プラグピンの移動操作に連動して互いに近付く方向に撓むことにより上記ロック爪と上記孔との係合を外して上記第１プラグピンのロックを解除することを特徴とする請求項２記載の電源プラグ変換ユニット。
【請求項８】
上記一対の第２プラグピンの互いに近づく方向への回動を阻止する回動阻止部材を、さらに有することを特徴とする請求項１記載の電源プラグ変換ユニット。
【請求項９】
上記回動阻止部材は、
上記電源プラグ変換ユニット本体の一面において、上記一対の第２プラグピンに挟まれる領域に設けられていることを特徴とする請求項８に記載の電源プラグ変換ユニット。
【請求項１０】
上記回動阻止部材は、
上記電源プラグ変換ユニット本体の一面に対して回動することで、上記一対の第２プラグピンに挟まれる領域と、上記一対の第２プラグピンに挟まれる領域から離脱する位置との間で変位自在に構成されるカバー部材であることを特徴とする請求項８に記載の電源プラグ変換ユニット。
【請求項１１】
上記回動阻止部材は、弾性部材からなり、
上記一対の第２プラグピンが互いに近づく方向へ回動操作された際には、当該一対の第２プラグピンによって圧縮されることで、上記一対の第２プラグピンの回動操作を許容することを特徴とする請求項８に記載の電源プラグ変換ユニット。
【発明の詳細な説明】
【技術分野】
【０００１】
この発明は、電気製品へ電力を供給する電源プラグを各国仕様の配線用差込接続器（コンセント）に対応する電源プラグに変換するための電源プラグ変換ユニットに関するものである。
【背景技術】
【０００２】
従来、国や地域毎に異なる形状のＡＣ電源コンセントが使用されている。このことから、例えば、国内仕様の電源プラグに対応した電気製品を他国等で使用するために、使用する国や地域のＡＣ電源コンセントの形状に適合した電源プラグへと変換するための電源プラグ変換ユニットが使用される。
【０００３】
そのために、例えば特開２０１５−２３０７８６号公報等によって、各種の形態の電源プラグ変換ユニットが、種々提案され、また実用化されている。
【０００４】
また、この種の電源プラグ変換ユニットにおいては、安全性の観点等から、電気製品の電源プラグと電源プラグ変換ユニットとの電気的接続を確実に確保する必要がある。そのために、例えば国際電気標準会議（International Electrotechnical Commission；ＩＥＣ）が定める ＩＥＣ ６０９５０−１（情報機器の安全規格）等といった国際的な技術標準規格がある。
【０００５】
上記の安全規格（ＩＥＣ ６０９５０−１）では、例えば電気製品の電源プラグと電源プラグ変換ユニットとの確実な接続状態を確保するためのロック機構を備えることを要求している。
【０００６】
そこで、従来においては、電源プラグと電源プラグ変換ユニットとの確実な接続状態を確保するためのロック機構を備えた電源プラグ変換ユニットが、例えば、特開２００２−１９８１４６号公報，特開２０１２−４８８２２号公報，特開２００９−１０４８８０号公報，特開２００９−１０４８８１号公報等によって、さまざまな形態のものが提案され、また実用化されている。
【先行技術文献】
【特許文献】
【０００７】
【特許文献１】特開２０１５−２３０７８６号公報
【特許文献２】特開２００２−１９８１４６号公報
【特許文献３】特開２０１２−４８８２２号公報
【特許文献４】特開２００９−１０４８８０号公報
【特許文献５】特開２００９−１０４８８１号公報
【発明の概要】
【発明が解決しようとする課題】
【０００８】
ところが、上記特開２００２−１９８１４６号公報，特開２０１２−４８８２２号公報，特開２００９−１０４８８０号公報，特開２００９−１０４８８１号公報等によって開示されている電源プラグ変換ユニットのロック機構は、いずれも複雑な機構によって構成されている。
【０００９】
したがって、これらの従来の電源プラグ変換ユニットでは、ロック機構を具備することによって、ユニット全体が大型化してしまうと共に、製造コストが上昇してしまうという問題点がある。
【００１０】
また、従来構成のロック機構においては、ロック状態を解除するための操作部材が、電源プラグ変換ユニットの外部に設けられているものがある。この種の構造のものでは、電源プラグと電源プラグ変換ユニットとを接続しての使用中に、使用者（ユーザ）が意図せずにロック解除用操作部材に触れてしまう等によって、不用意にロック状態が解除されてしまうという場合も考えられる。
【００１１】
本発明は、上述した点に鑑みてなされたものであって、その目的とするところは、電気製品へ電力を供給する電源プラグを各国仕様の配線用差込接続器（コンセント）に対応した電源プラグに変換するための電源プラグ変換ユニットにおいて、電源プラグと電源プラグ変換ユニットとを接続したときのロック状態を確実に維持し、使用中の意図しないロック解除を阻止し得ると共に、当該ロック状態を任意のタイミングで容易に解除することのできる着脱機構を、より単純な構成で実現した電源プラグ変換ユニットを提供することである。
【課題を解決するための手段】
【００１２】
上記目的を達成するために、本発明の一態様の電源プラグ変換ユニットは、電源プラグ変換ユニット本体と、上記電源プラグ変換ユニット本体の一端面に設けられ、電源プラグの一対の第１プラグピンのそれぞれが挿入される複数の第１プラグピン挿入部と、上記電源プラグ変換ユニット本体の他端面から突出して配置され、少なくとも一本のピンが（突出方向に対し直交方向に）移動する複数の変換プラグピンと、上記一対の第１プラグピンが上記第１プラグピン挿入部に挿入された際には上記第１プラグピンの着脱をロックし、上記一対の第１プラグピンが上記第１プラグピン挿入部に挿入された状態で上記変換プラグピンの少なくとも一本のピンが（突出方向に対し直交方向に）移動された際には上記第１プラグピンのロックを解除する着脱機構とを具備する。
【発明の効果】
【００１３】
本発明によれば、電気製品へ電力を供給する電源プラグを各国仕様の配線用差込接続器（コンセント）に対応した電源プラグに変換するための電源プラグ変換ユニットにおいて、電源プラグと電源プラグ変換ユニットとを接続したときのロック状態を確実に維持し、使用中の意図しないロック解除を阻止し得ると共に、当該ロック状態を任意のタイミングで容易に解除することのできる着脱機構を、より単純な構成で実現した電源プラグ変換ユニットを提供することができる。
【図面の簡単な説明】
【００１４】
【図１】本発明の一実施形態の電源プラグ変換ユニットの外観斜視図（安全カバー閉状態）
【図２】本発明の一実施形態の電源プラグ変換ユニットの外観斜視図（安全カバー開状態）
【図３】本発明の一実施形態の電源プラグ変換ユニットの内部構成の概略を示す内部構成図（平面図；安全カバー閉状態）
【図４】本発明の一実施形態の電源プラグ変換ユニットの内部構成の概略を示す内部構成図（側面図；安全カバー閉状態）
【図５】本発明の一実施形態の電源プラグ変換ユニットに電源プラグを接続する前の状態の内部構成を示す平面図（安全カバー開状態）
【図６】図５の側面図（安全カバー開状態）
【図７】本発明の一実施形態の電源プラグ変換ユニットの作用図（図５の状態の後、第１プラグピン挿入部に電源プラグブレードの一部が挿入された状態の内部構成を示す平面図）
【図８】本発明の一実施形態の電源プラグ変換ユニットの作用図（図７の状態の後、電源プラグブレードによって板バネ接片が撓んだ状態の内部構成を示す平面図）
【図９】本発明の一実施形態の電源プラグ変換ユニットの作用図（図８の状態の後、ロック爪が孔に係合する直前の状態の内部構成を示す平面図）
【図１０】本発明の一実施形態の電源プラグ変換ユニットの作用図（図９の状態の後、ロック爪が孔に係合して板バネ接片の撓み状態が復帰した状態の内部構成を示す平面図）
【図１１】本発明の一実施形態の電源プラグ変換ユニットの作用図（電源プラグ変換ユニットと電源プラグとの接続状態の内部構成を示す側面図）
【図１２】本発明の一実施形態の電源プラグ変換ユニットの作用図（電源プラグ変換ユニットと電源プラグとの接続状態の内部構成を示す平面図）
【図１３】本発明の一実施形態の電源プラグ変換ユニットの第２変形例（エルボータイプ）を示す外観斜視図
【図１４】図１３の電源プラグ変換ユニットを電源プラグ付きＡＣアダプタに接続して使用する場合を例示する平面図
【図１５】図１４の側面図
【図１６】本発明の一実施形態の電源プラグ変換ユニットの第４変形例を示す平面図（非接続状態）
【図１７】本発明の一実施形態の電源プラグ変換ユニットの第４変形例を示す平面図（接続状態）
【図１８】本発明の一実施形態の電源プラグ変換ユニットの第５変形例を示す外観斜視図
【図１９】図１８の電源プラグ変換ユニットの内部構成を示す三面図（上面図，平面図，側面図）
【図２０】本発明の一実施形態の電源プラグ変換ユニットの第５変形例においてロック状態の解除を行う際の電源プラグロック及びロック解除機構の作用を示す図（使用時通常状態）
【図２１】図２０の状態においてロック解除操作を行ったときのロック解除状態を示す図
【図２２】本発明の一実施形態の電源プラグ変換ユニットの第６変形例を示す外観斜視図
【図２３】図２２の電源プラグ変換ユニットの内部構成を示す三面図（上面図，平面図，側面図）
【図２４】本発明の一実施形態の電源プラグ変換ユニットの第６変形例においてロック状態の解除を行う際の電源プラグロック及びロック解除機構の作用を示す図（使用時通常状態）
【図２５】図２４の状態においてロック解除操作を行ったときのロック解除状態を示す図
【図２６】本発明の一実施形態の電源プラグ変換ユニットの第７変形例の内部構成を示す概略平面図（通常使用時状態）
【図２７】図２６の状態における電源プラグ変換ユニットの作用状態（ロック解除操作を行ったときのロック解除状態）を示す平面図
【図２８】本発明の一実施形態の電源プラグ変換ユニットの第８変形例を示す外観斜視図
【図２９】図２８の電源プラグ変換ユニットの内部構成を示す図（平面図，側面図）
【図３０】図２９の状態の電源プラグ変換ユニットにおいてロック状態の解除を行う際の電源プラグロック及びロック解除機構の作用を示す図（ロック解除状態）
【図３１】本発明の一実施形態の電源プラグ変換ユニットの第９変形例を示す外観斜視図
【図３２】図３１の電源プラグ変換ユニットの内部構成を示す三面図（上面図，平面図，側面図）
【図３３】図３１の電源プラグ変換ユニットの分解構成図
【図３４】図３１の電源プラグ変換ユニットのロック状態の解除を行う際の電源プラグロック及びロック解除機構の作用（ロック解除状態）を示す三面図
【発明を実施するための形態】
【００１５】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１６】
［一実施形態］（図１〜図１２）
図１，図２は、本発明の一実施形態の電源プラグ変換ユニットの外観斜視図である。このうち図１は本実施形態の電源プラグ変換ユニットにおける安全カバーの閉状態を示している。また図２は本実施形態の電源プラグ変換ユニットにおける安全カバーの開状態を示している。なお、図１においては、本実施形態の電源プラグ変換ユニットに対応する電源プラグを合わせて図示している。また、図２においては、図面の煩雑化を避けると共に、安全カバーの開状態を明確に示すために、電源プラグ変換ユニットにおける一部の部材を点線にて示している。
【００１７】
図３，図４は、本発明の一実施形態の電源プラグ変換ユニットの内部構成の概略を示す内部構成図である。このうち図３は本実施形態の電源プラグ変換ユニットの上面側から見た平面図を示している。また図４は本実施形態の電源プラグ変換ユニットの側面から見た側面図を示している。なお、図３，図４においては、図１と同様に、本実施形態の電源プラグ変換ユニットに対応する電源プラグを合わせて図示している。また、図３，図４は、安全カバーの閉状態を示している。
【００１８】
本実施形態で例示する電源プラグ変換ユニットは、タイプＡの電源プラグをタイプＣの電源プラグに変換するための電源プラグ変換ユニットである。本例では、特に、電源プラグ変換ユニットのプラグピンが、電源プラグのプラグピンと同方向に延出して形成される形態のいわゆるストレートタイプの電源プラグ変換ユニットを例示している。
【００１９】
本実施形態の電源プラグ変換ユニット１は、上述したように、また図１，図３，図４に示すように、タイプＡの電源プラグ２をタイプＣの電源プラグに変換するように構成されている。
【００２０】
ここで、電源プラグ２は、（一対の第１プラグピンである）一対の電源プラグブレード２１と、プラグ本体２２と、電源ケーブル２３とを備えて構成される一般的な形態の電源プラグである。
【００２１】
一対の電源プラグブレード２１は、プラグ本体２２の一端から突設され、電源ケーブル２３は、同プラグ本体２２の他端から延出している。そして、プラグ本体２２の内部において、一対の電源プラグブレード２１のそれぞれと、電源ケーブル２３とが所定の形態で接続されている。また、一対の電源プラグブレード２１のそれぞれには、先端寄りの所定の部位に貫通孔２１ａ（以下、単に孔２１ａという）が形成されている。
【００２２】
なお、当該電源プラグ２自体は、一般に普及しているものが適用されるものとする。したがって、電源プラグ２の詳細構成の説明は省略する。
【００２３】
電源プラグ変換ユニット１は、一対の第２プラグピンである一対の変換プラグブレード１１と、一対の板状バネ部材である一対の板バネ接片１２（図１，図２では不図示；図３，図４参照）と、変換ユニット本体ケース１３（電源プラグ変換ユニット本体）等によって主に構成されている。
【００２４】
変換ユニット本体ケース（以下、単に本体ケースと略記する）１３は、内部空間を有する箱体である。この本体ケース１３は、カバー係止部１３ａと、開口１３ｂと、一対の第１プラグピン挿入部１３ｃと、安全カバー１４と、カバー被係止凸部１４ａと、ヒンジ１４ｂ等を有して構成されている。
【００２５】
本体ケース１３において一端面には、一対の第１プラグピン挿入部１３ｃが設けられている。この一対の第１プラグピン挿入部１３ｃは、電源プラグ２の一対の電源プラグブレード２１がそれぞれ挿入される挿入口である。
【００２６】
なお、詳細は後述するが、本体ケース１３の内部において、一対の第１プラグピン挿入部１３ｃに繋がる内部領域には、当該第１プラグピン挿入部１３ｃから挿入された電源プラグブレード２１が配置されると共に、一対の板バネ接片１２のそれぞれが所定の形態で配設される内部空間１３ｄが形成されている（図３，図４参照）。
【００２７】
本体ケース１３において上記一端面に対向する他端面には、一対の変換プラグブレード１１が突出して配置されている。また、当該他端面において、一対の変換プラグブレード１１によって挟まれる領域には、開口１３ｂが形成されている。そして、この開口１３ｂを覆うように、安全カバー１４が配設されている。
【００２８】
開口１３ｂは、上述したように、一対の変換プラグブレード１１によって挟まれる領域に形成されている。当該領域に開口１３ｂが設けられることによって、一対の変換プラグブレード１１は、互いに近づく方向への変位が許容されている（詳細後述）。
【００２９】
この安全カバー１４は、本体ケース１３の他端面において上記開口１３ｂを覆う位置（図１の状態）と、当該開口１３ｂを開放する位置（図２参照）との間で、図２に示す矢印Ｒ方向に移動するように設けられている。そのために、当該安全カバー１４は、本体ケース１３の固定部（不図示）に対してヒンジ１４ｂ周りに回動自在に構成されている。
【００３０】
また、本体ケース１３の他端面において、上記開口１３ｂの周縁の所定の部位には、安全カバー１４に設けられるカバー被係止凸部１４ａを係止するカバー係止部１３ａが形成されている。
【００３１】
したがって、安全カバー１４が図１に示す閉状態とされたときには、当該安全カバー１４のカバー被係止凸部１４ａが、本体ケース１３のカバー係止部１３ａに係合することで、当該安全カバー１４の閉状態が維持されるようになっている。
【００３２】
そして、安全カバー１４は、図１に示す閉状態にあるときには、一対の変換プラグブレード１１が互いに近づく方向に変位することを阻止するブレード回動阻止部材として機能する。一方、安全カバー１４は、図２に示す開状態にあるときには、一対の変換プラグブレード１１が互いに近づく方向に変位することを許容する。
【００３３】
一対の変換プラグブレード１１は、上述したように、本体ケース１３の他端面の開口１３ｂから外方に向けて突出して配置されている。そして、一対の変換プラグブレード１１は、開口１３ｂに沿う方向において、互いに近づく方向に変位するように構成されている。そのために、一対の変換プラグブレード１１の各々は、一対の板バネ接片１２の各一端部に接続されている。
【００３４】
一対の板バネ接片１２（図３，図４参照）のそれぞれは、各第１プラグピン挿入部１３ｃに繋がる内部空間１３ｄのそれぞれに配設されている。各内部空間１３ｄには、それぞれに固定支持部１３ｅが形成されている。そして、一対の板バネ接片１２の各他端部は、当該固定支持部１３ｅによって片持ち梁状に支持されている。
【００３５】
したがって、この構成により、一対の変換プラグブレード１１が互いに近づく方向に、例えば使用者（ユーザ）の手指等による操作力を受けて変位するとき、その操作力は、一対の変換プラグブレード１１から一対の板バネ接片１２のそれぞれへと伝達される。これにより、当該一対の板バネ接片１２は、それぞれが各固定支持部１３ｅを支点として、互いに撓むように構成されている。
【００３６】
この場合において、本体ケース１３の各内部空間１３ｄは、一対の板バネ接片１２に対して平行に、電源プラグ２の一対の電源プラグブレード２１が配置される領域を、さらに有している。つまり、各第１プラグピン挿入部１３ｃから各内部空間１３ｄへと挿入された一対の電源プラグブレード２１のそれぞれは、一対の板バネ接片１２に平行に配置される。
【００３７】
また、一対の板バネ接片１２の各々には、第１プラグピン挿入部１３ｃから内部空間１３ｄに電源プラグ２の一対の電源プラグブレード２１が挿入された際に、当該一対の電源プラグブレード２１の各々に設けられた孔２１ａと係合するロック爪１２ａが形成されている。
【００３８】
このロック爪１２ａの各々は、第１プラグピン挿入部１３ｃのそれぞれに一対の電源プラグブレード２１のそれぞれが挿入された際に、一対の電源プラグブレード２１の各々に設けられた孔２１ａとそれぞれ係合する。そして、ロック爪１２ａが孔２１ａに係合することにより、電源プラグブレード２１が第１プラグピン挿入部１３ｃから抜去することを阻止する。これにより、電源プラグブレード２１は、第１プラグピン挿入部１３ｃ内の所定の位置にて挿抜方向への移動がロックされる。
【００３９】
このように、本実施形態の電源プラグ変換ユニット１においては、電源プラグブレード２１が第１プラグピン挿入部１３ｃに挿入された際には電源プラグブレード２１の着脱をロックし、電源プラグブレード２１が第１プラグピン挿入部１３ｃに挿入された状態で一対の変換プラグブレード１１が回動操作された際には電源プラグブレード２１のロックを解除する着脱機構を有している。ここで、当該着脱機構は、板バネ接片１２のロック爪１２ａと電源プラグブレード２１の孔２１ａとによって構成されている。
【００４０】
以上のように構成された本実施形態の電源プラグ変換ユニット１の作用を、図１〜図４及び図５〜図１２を用いて以下に説明する。
【００４１】
図５，図６は、本実施形態の電源プラグ変換ユニット１に電源プラグ２を接続する前の状態を示す図である。このうち図５は内部構成を示す平面図であり、図６は内部構成を示す側面図である。ここで、図５，図６では安全カバー１４の開状態を示している。
【００４２】
図７は、図５の状態の後、電源プラグ変換ユニット１の第１プラグピン挿入部１３ｃに電源プラグ２の電源プラグブレード２１の一部が挿入された状態の内部構成を示す平面図である。
【００４３】
図８は、図７の状態の後、電源プラグ２の電源プラグブレード２１によって板バネ接片１２が撓んだ状態の内部構成を示す平面図である。
【００４４】
図９は、図８の状態の後、ロック爪１２ａが孔２１ａに係合する直前の状態の内部構成を示す平面図である。
【００４５】
図１０は、図９の状態の後、ロック爪１２ａが孔２１ａに係合して板バネ接片１２の撓み状態が復帰した状態の内部構成を示す平面図である。
【００４６】
図１１，図１２は、電源プラグ変換ユニット１に電源プラグ２が接続された状態を示す図である。このうち図１１は内部構成を示す平面図であり、図１２は内部構成を示す側面図である。ここで、図１１，図１２では安全カバー１４の閉状態を示している。
【００４７】
なお、上記図５〜図１２においては、電源プラグ変換ユニット１の内部構成を明瞭に示すために本体ケース１３の一部を省略して図示している。
【００４８】
本実施形態の電源プラグ変換ユニット１に電源プラグ２を接続するためには、まず、電源プラグ変換ユニット１の安全カバー１４を、図１，図３，図４に示す閉状態から、図２，図５，図６に示す開状態にする。
【００４９】
そのために、安全カバー１４を開状態に変位させるには、使用者（ユーザ）は手指等を用いて、安全カバー１４のカバー被係止凸部１４ａを、図６に示す矢印Ｒ１方向へ回動させる操作を行う。これにより、安全カバー１４のカバー被係止凸部１４ａは、本体ケース１３のカバー係止部１３ａから離脱する。そして、安全カバー１４は、ヒンジ１４ｂ周りに回動して図５，図６の開状態へと変位する。
【００５０】
この状態において、使用者は、電源プラグ２を図５，図６の矢印Ｘ１方向（以下、挿入方向Ｘ１という）へ移動させる。このとき、電源プラグ２の一対の電源プラグブレード２１のそれぞれが、電源プラグ変換ユニット１の各第１プラグピン挿入部１３ｃに挿入されるように移動させる。
【００５１】
そして、電源プラグ２の一対の電源プラグブレード２１のそれぞれが、電源プラグ変換ユニット１の各第１プラグピン挿入部１３ｃから挿入されると、それ以降は、電源プラグ２を挿入方向Ｘ１に沿って押し込むだけで、各電源プラグブレード２１は内部空間１３ｄに沿って移動する。
【００５２】
その後、図７に示すように、各電源プラグブレード２１の先端部位が、各板バネ接片１２のロック爪１２ａの一端部に当接する。ここで、さらに、電源プラグ２を挿入方向Ｘ１に沿って押し込むと、各電源プラグブレード２１の先端部位は、ロック爪１２ａを押圧する。これを受けて、一対の板バネ接片１２は、各固定支持部１３ｅを支軸として、図７，図８の矢印Ｐ１方向に向けて撓む。これに連動して、一対の変換プラグブレード１１は、図８の矢印Ｐ２方向、即ち互いに近付く方向に固定支持部１３ｅを回転中心として回動する。このとき、安全カバー１４は開状態になっているので、当該安全カバー１４は、一対の変換プラグブレード１１が互いに近付く方向に回動するのを妨げない。
【００５３】
各電源プラグブレード２１は、その先端部位にてロック爪１２ａを押圧し、一対の板バネ接片１２を撓ませながら、挿入方向Ｘ１への移動を続けると、やがて、ロック爪１２ａは、図９に示すように、孔２１ａに係合し得る状態になる。この図９の状態の直後、図１０に示すように、ロック爪１２ａは孔２１ａに係合する。これにより、一対の板バネ接片１２の撓みは解消され、当該一対の板バネ接片１２は自身の付勢力により、図１０に示すように元の状態に復帰する。これと同時に、一対の変換プラグブレード１１も、図１０の矢印Ｐ３方向に変位して元の位置に復帰する。
【００５４】
この図１０の状態において、使用者は、安全カバー１４を図１１に示す矢印Ｒ２方向へと回動させて、カバー被係止凸部１４ａをカバー係止部１３ａに係合させる。これにより、安全カバー１４は、図１１，図１２に示すように閉状態となる。
【００５５】
この状態においては、ロック爪１２ａが孔２１ａに係合していることにより、電源プラグ２は、電源プラグ変換ユニット１から抜去し得ないロック状態とされている。また、このとき、安全カバー１４は、一対の変換プラグブレード１１を互いに近付く方向への回動を阻止している。したがって、電源プラグ２は、電源プラグ変換ユニット１から容易に抜去されることはない。
【００５６】
そして、この状態において、電源プラグ変換ユニット１の一対の変換プラグブレード１１を、対応するＡＣ電源コンセント（不図示）に挿入して、対象の電気製品の使用を開始する。
【００５７】
この状態にある時、本実施形態の電源プラグ変換ユニット１においては、安全カバー１４を開状態に変位させることはできない。また、同時に、一対の変換プラグブレード１１を互いに近付く方向へ回動させることはできない。したがって、当該電源プラグ変換ユニット１の使用時には、当該電源プラグ変換ユニット１に挿入した電源プラグ２を容易に抜去することができない状態となっている。
【００５８】
一方、電源プラグ変換ユニット１から電源プラグ２を抜去する際の作用は、次のようになる。まず、電源プラグ変換ユニット１と電源プラグ２とが接続された状態で使用中の電源プラグ変換ユニット１をＡＣ電源コンセント（不図示）から抜去する。
【００５９】
図１１，図１２に示す状態において、まず、安全カバー１４を開状態に変位させて、図１０に示す状態にする。この状態で、一対の変換プラグブレード１１を、互いに近付く方向へ回動操作する。これにより、一対の板バネ接片１２が、図９に示すように、一対の変換プラグブレード１１の各回動に連動して互いに撓む。これによって、ロック爪１２ａと孔２１ａとの係合が外れて、電源プラグブレード２１のロックが解除される。
【００６０】
この状態で、電源プラグ２を抜去方向（図９の矢印Ｘ１とは反対方向の矢印Ｘ２方向）へ移動させる。これにより、電源プラグ２は電源プラグ変換ユニット１から抜去されて、図５，図６に示す状態になる。
【００６１】
このように、本実施形態の電源プラグ変換ユニット１において、一対の板バネ接片１２は、一対の電源プラグブレード２１が第１プラグピン挿入部１３ｃに挿入される際には、電源プラグブレード２１によってロック爪１２ａが押圧されることにより撓んだ後、当該ロック爪１２ａが電源プラグブレード２１に設けられた孔２１ａと係合する。これにより電源プラグブレード２１の抜去は阻止されロックされる。
【００６２】
また、一対の板バネ接片１２は、安全カバー１４が開状態にあるときに、一対の変換プラグブレード１１が互いに近づく方向にそれぞれ回動操作された際には、一対の変換プラグブレード１１の各回動に連動して互いに撓むことによって、ロック爪１２ａと孔２１ａとの係合が外れる。これにより、電源プラグブレード２１のロックは解除される。
【００６３】
以上説明したように上記一実施形態によれば、電源プラグ変換ユニット１の第１プラグピン挿入部１３ｃに、電源プラグ２の電源プラグブレード２１を差し込むと、板バネ接片１２のロック爪１２ａが電源プラグ２の電源プラグブレード２１の孔２１ａに係合して、電源プラグ変換ユニット１と電源プラグ２との接続を容易にロックすることができる。
【００６４】
一方、電源プラグ変換ユニット１と電源プラグ２とが接続された状態で、電源プラグ変換ユニット１の一対の変換プラグブレード１１を互いに近付く方向へ回動操作すると、ロック爪１２ａと孔２１ａとの係合状態を容易に解除することができる。
【００６５】
この場合において、電源プラグ変換ユニット１と電源プラグ２とが接続されて、ロック爪１２ａと孔２１ａとが係合している状態のときに、安全カバー１４を閉状態にすると、一対の変換プラグブレード１１の互いに近付く方向への回動操作、即ちロック解除操作を阻止することができる。
【００６６】
したがって、このような構成により、本実施形態の電源プラグ変換ユニット１においては、対応する電源プラグ２を接続してＡＣ電源コンセント（不図示）に差し込んだ使用状態としたときには、電源プラグ変換ユニット１の一対の変換プラグブレード１１を互いに近付く方向へ回動操作（ロック解除操作）することができない。
【００６７】
そして、この使用状態では、ロック爪１２ａと孔２１ａとが係合しているので、電源プラグ２は、電源プラグ変換ユニット１に確実に接続されており、容易に抜去することができない。
【００６８】
つまり、電源プラグ変換ユニット１と電源プラグ２とを接続した状態で、電源プラグ変換ユニット１をＡＣ電源コンセント（不図示）に差し込んだ状態から取り外すための抜去操作の際にも、電源プラグ変換ユニット１と電源プラグ２との接続状態は確実に維持されている。
【００６９】
よって、本実施形態の電源プラグ変換ユニット１が使用状態にあるときには、電源プラグ変換ユニット１と電源プラグ２との確実な接続を常に維持することができると共に、電源プラグ２の抜去を阻止することができる。
【００７０】
本実施形態の電源プラグ変換ユニット１は、より簡単な構成によって、対応する電源プラグ２との確実な接続を確保することができる。これと同時に、必要に応じて容易に着脱することができる機構を簡単な構成で実現することができる。
【００７１】
［第１変形例］（不図示）
なお、上述の一実施形態においては、タイプＡの電源プラグ２をタイプＣの電源プラグに変換する場合の具体的な構成例を図示して説明したが、本発明は、このような形態に限られることは無い。
【００７２】
例えば、上述の一実施形態の電源プラグ変換ユニット１においては、一対の変換プラグブレード１１の形状をタイプＣとしている。これを、他のタイプ（例えばＢ，Ｂ−３，ＢＦ，Ｏ，Ｏ−２，ＳＥ等）のプラグブレードに変更するのみで、各種のタイプの電源プラグに対応させることができる。
【００７３】
なお、この場合において、例えば、タイプＢ−３，ＢＦ，Ｏ−２等では、２本のプラグブレードと、１本のアース用ブレードの３本が存在する。この場合には、アース用ブレードを備えた形態の電源プラグ変換ユニットの形態として、本体ケース１３の形状に変更を加え、適宜対応させて形成すればよい。
【００７４】
したがって、これにより、電気製品自体の仕様（電源プラグ側の仕様）を仕向国又は地域毎に異なる仕様とする必要がなくなり、共通仕様の電気製品について、仕向国又は地域毎に適合する電源プラグ変換ユニットを一つだけ付属させるのみで、当該電気製品の仕様の共通化を実現することが容易にできる。
【００７５】
［第２変形例］（図１３）
また、上述の一実施形態においては、電源プラグ変換ユニット１の一対の変換プラグブレード１１と、電源プラグ２の電源プラグブレード２１とが同一方向に延出して形成される形態のいわゆるストレートタイプの電源プラグ変換ユニットを例示している。しかしながら、本発明の構成を適用し得る電源プラグ変換ユニットは、このような形態に限られることはない。
【００７６】
例えば、電源プラグ変換ユニットの一対の変換プラグブレードが、電源プラグの電源プラグブレードの挿入方向に対して略直交する方向に延出されるいわゆるエルボータイプの電源プラグ変換ユニットとして構成することもできる。図１３は、電源プラグ変換ユニットの構成をエルボータイプとして構成した場合の変形例（本実施形態の第２変形例）を示す外観斜視図である。
【００７７】
図１３に示すように、電源プラグ変換ユニット１Ａは、一対の変換プラグブレード１１が、本体ケース１３Ａの一面（上面）から、対応する電源プラグ２の電源プラグブレード２１の挿入方向（図１３の矢印Ｘ１）に対して略直交する方向（図１３の矢印Ｙ１）に延出して設けられている。
【００７８】
そして、本体ケース１３Ａには、一対の変換プラグブレード１１の間の領域に、安全カバー１４が設けられている。この安全カバー１４は、本体ケース１３Ａの上面に形成された開口（不図示）を開閉するカバー部材である。その他の構成は、上述の一実施形態と同様である。
【００７９】
なお、本変形例の図１３では、対応する電源プラグ２として、上述の一実施形態と同じ形態（タイプＡ）の電源プラグとして図示している。
【００８０】
このように、上述の一実施形態及び上記各変形例においては、電源プラグ変換ユニットに対応させる電源プラグ側の形態としては、電気製品から延出される電源ケーブルの末端に設けられる電源プラグとした例を示している。しかしながら、本発明の構成を適用し得る電源プラグ変換ユニットに対応する電源プラグの形態としては、この形態に限られることはない。
【００８１】
［第２変形例の応用例］（図１４，図１５）
例えば、本発明の構成の電源プラグ変換ユニットは、電源プラグ付きＡＣアダプタに対しても、同様に使用することができる。図１４，図１５は、上述の一実施形態又は上述の各変形例の電源プラグ変換ユニットを、電源プラグ付きＡＣアダプタに接続して使用する場合を例示する図である。このうち図１４は内部構成を示す平面図である。また図１５は内部構成を示す側面図である。
【００８２】
図１４，図１５に示す電源プラグ変換ユニット１Ａは、上記第２変形例（図１３参照）で示されるものと同じものである。図１４，図１５においては、当該電源プラグ変換ユニット１Ａに対し、電源プラグ付きＡＣアダプタ２Ａを接続するように構成される。
【００８３】
ここで、電源プラグ付きＡＣアダプタ２Ａは、プラグ本体ケース２２Ａと、一対の電源プラグブレード２１とを有して構成されている。プラグ本体ケース２２Ａの一端面には、例えばＵＳＢケーブル２３Ａのコネクタ部２３Ａａを接続するための端子部２２Ａａが設けられている。
【００８４】
このような構成の電源プラグ付きＡＣアダプタ２Ａに対しても、本発明の構成を適用した電源プラグ変換ユニット１Ａは、全く同様に使用できる。そして、その場合における作用及び効果もまた上述の一実施形態と同様である。
【００８５】
［第３変形例］（不図示）
上述の一実施形態及び各変形例においては、電源プラグ変換ユニットの一対の第２プラグピン（一対の変換プラグブレード１１）の互いに近付く方向への回動操作を、所定の時に適宜阻止したり許容したりするための構成として、本体ケースの一面において、一対の変換プラグブレード１１の間の領域に安全カバー１４を設けて構成した。しかしながら、変換プラグブレード１１の回動操作を適宜阻止し許容するための構成部材としては、この形態に限られることはない。
【００８６】
例えば、上記安全カバー１４に代えて、次のような構成を採用することでも、同様の作用及び効果を得ることができる。
【００８７】
即ち、本体ケースにおいて、一対の第２プラグピン（一対の変換プラグブレード１１）に挟まれる領域の開口部分に、ゴム部材等の素材からなり、圧力を受けると圧縮し、当該圧力が除去されると、その形状が復帰するような性質を有する弾力性を備えた弾性部材を設けて構成してもよい。
【００８８】
この種の弾性部材を採用した場合、一対の変換プラグブレード１１を互いに近付く方向へ回動操作を行うと、当該弾性部材が圧縮されることにより、一対の板バネ接片１２の撓みを許容することができる。また、一対の変換プラグブレード１１は、互いに近付く方向への回動操作が加わらない場合には、一対の変換プラグブレード１１を所定の位置に保持し、互いに近付く方向に回動するのを阻止することができる。
【００８９】
さらに、電源プラグ２の電源プラグブレード２１を電源プラグ変換ユニット１の第１プラグピン挿入部１３ｃに挿入して、ロック爪１２ａと孔２１ａとを係合させる際には、電源プラグ２を所定の力量以上で第１プラグピン挿入部１３ｃ内へと押し込めば、当該電源プラグブレード２１の先端がロック爪１２ａを押圧し、板バネ接片１２を撓ませることができる。このようにして、ロック爪１２ａを押圧されて一対の板バネ接片１２が撓むと、対応する一対の変換プラグブレード１１は、当該弾性部材を圧縮する。これにより、電源プラグ２と電源プラグ変換ユニット１との接続を行う過程において、ロック爪１２ａと孔２１ａとが係合し、両者のロック状態を現出させることができる。
【００９０】
したがって、このような構成によれば、安全カバー１４を用いた場合に必要となる操作（即ち安全カバー１４の開閉操作）を省略することができるので、より簡単な着脱操作を実現できる。
【００９１】
［第４変形例］（図１６，図１７）
上述の一実施形態及び各変形例においては、電源プラグ変換ユニットの一対の第２プラグピン（一対の変換プラグブレード１１）の双方を互いに近付く方向に向けて回動操作することで、ロック爪１２ａと孔２１ａとの係合を解除するように構成している。しかしながら、当該着脱機構におけるロック状態を解除するための構成は、この形態に限られることはない。
【００９２】
例えば、電源プラグ変換ユニットの一対の第２プラグピン（一対の変換プラグブレード１１）のうちの一方（片側）のみにロック爪を設け、当該ロック爪が設けられている側の一本の変換プラグブレードのみを回動操作することによって、ロック状態の解除を行い得るように構成してもよい。図１６，図１７は、本発明の一実施形態における第４変形例を示す図である。このうち、図１６は電源プラグ変換ユニットと電源プラグとの非接続状態を示している。また、図１７は電源プラグ変換ユニットと電源プラグとの接続状態を示している。
【００９３】
図１６に示すように、本変形例の電源プラグ変換ユニット１Ｂにおける一対の板バネ接片は、ロック爪１２ａが設けられた板バネ接片１２（上述の一実施形態及び各変形例と同様形態）と、ロック爪が設けられていない板バネ接片１２Ｂとを一対として構成している。その他の構成は、上述の一実施形態及び各変形例と同様である。
【００９４】
このような構成とした場合にも、一対の電源プラグブレード２１が各第１プラグピン挿入部１３ｃに挿入された際には、一対の板バネ接片のうちの一方の板バネ接片１２のロック爪１２ａが、一方の電源プラグブレード２１の孔２１ａに係合することにより、電源プラグブレード２１の着脱がロックされる。
【００９５】
また、電源プラグブレード２１が各第１プラグピン挿入部１３ｃに挿入された状態で安全カバー１４を開状態とした後、一対の変換プラグブレード１１のうちの一方の変換プラグブレード１１が回動操作されて、一方の板バネ接片１２が撓んだ際には、ロック爪１２ａと孔２１ａとの係合が外れることにより、電源プラグブレード２１のロック状態が解除される。
【００９６】
したがって、本変形例の構成においても、上述の一実施形態及び各変形例と同様の作用及び効果を得ることができる。
なお、第４変形例の構成では、一対の変換プラグブレード１１のうち一方の変換プラグブレード１１（ロック爪１２ａを設けた板バネ接片１２が接続されている方）が回動操作されることにより、ロック爪１２ａと孔２１ａとの係合が外れる構成としている。
【００９７】
この場合、第４変形例の構成では、一対の変換プラグブレード１１のうち、どちらの変換プラグブレード１１を操作すればよいのかは、内部構成が異なるのみであるので、操作者は外観を見ただけではわからない。したがって、例えば、一対の変換プラグブレード１１のうち、ロック爪１２ａを設けた板バネ接片１２が接続されている方の変換プラグブレード１１、即ちロック解除のために回動操作を行うべき方の変換プラグブレード１１にマーキング等を施す措置などが必要になる。
【００９８】
しかし、第４変形例の構成の場合においても、実際の操作は、上述の一実施形態や各変形例などと同様に、一対の変換プラグブレード１１の双方を互いに近付く方向に向けて回動させるように操作するのが自然である。
【００９９】
そのようなことを考慮すると、操作すべき側の変換プラグブレード１１にマーキング等を施さなくても、一対の変換プラグブレード１１の双方を互いに近付く方向に向けて回動操作するのみで、ロック爪１２ａを設けた板バネ接片１２が接続されている方の変換プラグブレード１１を回動させることができる。したがって、回動操作させるべき変換プラグブレード１１を意識することなく、簡単な操作で、ロック爪１２ａと孔２１ａとの係合を解除することができる。
【０１００】
このような第４変形例によっても、上述の一実施形態及び各変形例と略同様の効果を得ることができる。
【０１０１】
［第５変形例］（図１８〜図２１）
上述の一実施形態及び各変形例においては、一対の変換プラグブレードに対する所定の操作を行ってロック爪と孔との係合状態を解除するロック解除機構の構成を示している。そのために、具体的な構成例として、タイプＡの電源プラグをタイプＣの電源プラグに変換する場合の構成例を示している。本発明の本質的な構成は、図示の例示に限られることはなく、タイプＡの電源プラグを別のタイプの電源プラグに変換する場合であっても構成することができる。
【０１０２】
以下に示す各変形例においては、タイプＡの電源プラグを、タイプＢＦ（タイプＧ）やタイプＢ−３，Ｄ，Ｏ−２などのような形態、即ち２本のプラグブレードと１本のアース用ブレードとの合計３本のブレード（ピン）が存在する形態の電源プラグに変換するための電源プラグ変換ユニットとして構成した場合の例を示す。
【０１０３】
まず、本発明の一実施形態の電源プラグ変換ユニットについての第５変形例を、図１８〜図２０を用いて、以下に説明する。
【０１０４】
図１８〜図２０は、本発明の一実施形態の電源プラグ変換ユニットについての第５変形例を示す図である。このうち、図１８は、本発明の一実施形態の電源プラグ変換ユニットの第５変形例の外観斜視図である。なお、図１８では電源プラグ変換ユニットに接続される電源プラグを合わせて図示している。ここで、図１８においては、電源プラグ変換ユニットと電源プラグとは非接続状態である。図１９は、第５変形例における電源プラグ変換ユニットの内部構成を示す三面図（上面図，平面図，側面図）である。なお、図１９においては、主に本変形例における電源プラグ変換ユニットの内部機構を示すために、例えば電気配線などの構成物の図示は省略している。また、図１９でも、電源プラグ変換ユニットに接続される電源プラグを合わせて図示している。ここで、図１９においては、電源プラグ変換ユニットに対し電源プラグが接続されている状態を示している。
【０１０５】
図２０，図２１は、本発明の一実施形態の電源プラグ変換ユニットの第５変形例においてロック状態の解除を行う際の電源プラグロック及びロック解除機構の作用を示す図である。このうち、図２０は、電源プラグ変換ユニットと電源プラグとを接続した状態であって、使用時の通常状態を示している。図２１は、図２０の状態においてアース用ブレードに対し所定の方向から所定の力量を加えるロック解除操作を行ったときのロック解除状態を示している。なお、図２０，図２１においては、電源プラグロック及びロック解除機構の作用を示すために、内部構成における電源プラグロック及びロック解除機構以外の構成部材（例えばヒューズなど）の図示を省略している。
【０１０６】
この第５変形例は、アース用ブレードを回動操作（図１８の矢印符号Ｒ方向への回動操作）を行うことによって、当該アース用ブレードがロック爪を設けた板バネ接片に作用して、ロック爪と電源プラグ側の貫通孔との係合を解除する構成を示している。
【０１０７】
なお、第５変形例は、タイプＡの電源プラグ２をタイプＢＦ（タイプＧ）の電源プラグに変換する場合の構成例である。また、第５変形例では、電源プラグ変換ユニットの各プラグブレード（プラグピン）が、電源プラグのプラグブレード（プラグピン）と同方向に延出して形成される形態のいわゆるストレートタイプの電源プラグ変換ユニットの例示である。
【０１０８】
電源プラグ２は、一対の第１プラグピンである一対の電源プラグブレード２１と、プラグ本体２２と、電源ケーブル２３とを備えて構成される一般的な形態のタイプＡの電源プラグである。ここで、一対の電源プラグブレード２１のそれぞれには、先端寄りの所定の部位に貫通孔２１ａが形成されている。
【０１０９】
このように形成される電源プラグ２の構成は、上述の一実施形態及び各変形例において適用されているものと全く同様である。したがって、電源プラグ２のこれ以上の詳細構成の説明は省略する。
【０１１０】
本変形例における電源プラグ変換ユニット１Ｃは、三つの平型ブレード（１１Ｃ，１５）を有するタイプＢＦ（タイプＧ）の電源プラグに相当する形態に形成されている。
【０１１１】
即ち、電源プラグ変換ユニット１Ｃは、一対の第２プラグピンである一対の変換プラグブレード１１Ｃと、第３プラグピンであるアース用ブレード１５と、一対の板状バネ部材である一対の板バネ接片１２Ｃ（図１８では不図示；図１９〜図２１参照）と、変換ユニット本体ケース１３Ｃ（単に本体ケース１３Ｃと略記する）と、ヒューズ１８と、電源プラグロック及びロック解除機構（１６，１７）等によって主に構成されている。
【０１１２】
本体ケース１３Ｃは、内部空間を有する箱体である。この本体ケース１３Ｃの一面には、電源プラグ２の一対の電源プラグブレード２１がそれぞれ挿入される一対の第１プラグピン挿入部１３ｃが設けられている。
【０１１３】
本体ケース１３Ｃの上記一面に対向する他面からは、三つの平型ブレード、即ち、一対の変換プラグブレード１１Ｃ及びアース用ブレード１５が外方に向けて突出して配置されている。ここで、一対の変換プラグブレード１１Ｃは、本体ケース１３Ｃの内部の固定部分に対して固定されている。
【０１１４】
また、アース用ブレード１５は、本体ケース１３Ｃの内部の固定部分に対し、支軸１５ａ（図１９参照）を回転中心として、図１８，図２１の矢印Ｒに沿う方向の所定の範囲内で回動自在に配設されている。
【０１１５】
そのために、本体ケース１３Ｃにおいては、アース用ブレード１５が貫通して突出している部分に、当該アース用ブレード１５が矢印Ｒ方向へと回動することによる移動を許容するための隙間孔１３Ｃｆが設けられている。
【０１１６】
なお、アース用ブレード１５は、コンセント側のプラグブレード挿入口のシャッター部材を開状態とするためのシャッター解除ピンとしても機能する そのために、アース用ブレード１５は、一対の変換プラグブレード１１Ｃよりも若干長くなるように（突出長さが多くなるように）設定されている。
【０１１７】
一対の変換プラグブレード１１Ｃの各々は、本体ケース１３Ｃの内部においてそれぞれ所定の位置に固定された一対の板バネ接片１２Ｃのそれぞれの一端に接続されている。この場合において、例えば、一対の板バネ接片１２Ｃの一方の接片１２Ｃは、一対の変換プラグブレード１１Ｃの一方のブレード１１Ｃに接続されている。また、他方の接片１２Ｃは、他方のブレード１１Ｃに対しヒューズ１８を介在させて接続されている。なお、一対の変換プラグブレード１１Ｃのそれぞれと、一対の板バネ接片１２Ｃのそれぞれとの具体的な配線構成については、本発明に直接関連しない部分であるので、その図示を省略している。
【０１１８】
一対の板バネ接片１２Ｃ（図１９〜図２１参照）のそれぞれは、各第１プラグピン挿入部１３ｃに繋がる内部空間に配置されている。そして、このとき一対の板バネ接片１２Ｃは、各基端部が、例えばビスなどの固定部材を用いて固定されている。これにより、一対の板バネ接片１２Ｃは、片持ち梁状に配設されている。そして、一対の板バネ接片１２Ｃのそれぞれの他端部（先端部）は、基端部を支軸とする自由端として、矢印Ｒに沿う方向に撓むことができるように構成されている。つまり、本変形例においては、一対の板バネ接片１２Ｃの各先端部の撓み方向が、同じ方向（Ｒ方向）となるように構成されている。
【０１１９】
なお、一対の板バネ接片１２Ｃのそれぞれには、上述の各変形例における板バネ接片と同様に、ロック爪１２ａが形成されている。このロック爪１２ａは、上述の各変形例と同様の機能を有する。
【０１２０】
また、一対の板バネ接片１２Ｃは、一対の接片連結板１６によって連結されている。この一対の接片連結板１６は、一対の板バネ接片１２Ｃの両側面、即ち撓み方向（矢印Ｒに沿う方向）に対して略直交する方向に位置する両側面部分を保持している。そして、一対の接片連結板１６は、左右連結板連結棒１７によって連結されている。
【０１２１】
さらに、当該左右連結板連結棒１７には、アース用ブレード１５の一部が固定されている。この場合において、左右連結板連結棒１７は、アース用ブレード１５の突出方向において、やや基端（支軸１５ａ）寄りの部位であって、かつ本体ケース１３Ｃの内部空間にて固定されている。なお、一対の接片連結板１６及び左右連結板連結棒１７は、非導電性部材によって形成されている。
【０１２２】
このような構成により、アース用ブレード１５に対して、例えば使用者（ユーザ）が手指等を用いて、図１９，図２０に示す矢印Ｙ１に沿う方向へ外部からの負荷を加える。
【０１２３】
すると、アース用ブレード１５は、当該負荷を受けて、支軸１５ａを回動中心として矢印Ｒ方向に回動する。このとき、アース用ブレード１５は左右連結板連結棒１７を矢印Ｙ１方向へと押し下げる。これにより、左右連結板連結棒１７は、一対の接片連結板１６を同方向Ｙ１方向へと移動させる。
【０１２４】
すると、一対の接片連結板１６は、一対の板バネ接片１２Ｃのそれぞれの各先端部を矢印Ｒ方向に撓ませる。これにより、電源プラグ２の一対の電源プラグブレード２１の各貫通孔２１ａに対する一対の板バネ接片１２Ｃのロック爪１２ａの係合が解除される。したがって、これにより、電源プラグ２を電源プラグ変換ユニット１Ｃから引き抜くことができる。
【０１２５】
このような第５変形例によっても、上述の一実施形態及び各変形例と略同様の効果を得ることができる。
【０１２６】
［第６変形例］（図２２〜図２５）
次に、本発明の一実施形態の電源プラグ変換ユニットについての第６変形例を、図２２〜図２５を用いて、以下に説明する。
【０１２７】
図２２〜図２５は、本発明の一実施形態の電源プラグ変換ユニットの第６変形例を示す図である。このうち、図２２は、本発明の一実施形態の電源プラグ変換ユニットの第６変形例の外観斜視図である。なお、図２２では電源プラグ変換ユニットに接続される電源プラグを合わせて図示している。ここで、図２２においては、電源プラグ変換ユニットと電源プラグとは非接続状態である。図２３は、第６変形例における電源プラグ変換ユニットの内部構成を示す三面図（上面図，平面図，側面図）である。なお、図２３においては、主に本変形例における電源プラグ変換ユニットの内部機構を示すために、例えば電気配線などの構成物の図示は省略している。また、図２３でも、電源プラグ変換ユニットに接続される電源プラグを合わせて図示している。ここで、図２３においては、電源プラグ変換ユニットに対し電源プラグが接続されている状態を示している。
【０１２８】
図２４，図２５は、本発明の一実施形態の電源プラグ変換ユニットの第６変形例においてロック状態の解除を行う際の電源プラグロック及びロック解除機構の作用を示す図である。このうち、図２４は、電源プラグ変換ユニットと電源プラグとを接続した状態であって、使用時の通常状態を示している。図２５は、図２４の状態においてアース用ブレードに対し所定の方向から所定の力量を加えるロック解除操作を行ったときのロック解除状態を示している。なお、図２４，図２５においては、電源プラグロック及びロック解除機構の作用を示すために、内部構成における電源プラグロック及びロック解除機構以外の構成部材（例えば電気配線やヒューズなど）の図示を省略している。
【０１２９】
この第６変形例は、アース用ブレード１５を回動操作（図２２の矢印符号Ｒ方向への回動操作）を行うことによって、当該アース用ブレード１５が一対の板バネ接片１２Ｄに作用することで、板バネ接片１２Ｄ側のロック爪１２ａと電源プラグブレード２１側の貫通孔２１ａとの係合状態を解除するための構成を有している。
【０１３０】
なお、第６変形例は、上述の第５変形例と同様に、タイプＡの電源プラグ２をタイプＢＦ（タイプＧ）の電源プラグに変換する場合の構成例である。ただし、第６変形例においては、電源プラグ変換ユニットの各プラグブレードが、電源プラグのプラグブレードに対して略直交する方向に延出して形成される形態のいわゆるエルボータイプの電源プラグ変換ユニットの例示である。
【０１３１】
電源プラグ２の構成は、上述の一実施形態及び各変形例において適用されているものと全く同様であるので、その詳細説明は省略する。
【０１３２】
本変形例における電源プラグ変換ユニット１Ｄは、基本的には上述の第５変形例で示すものと略同様構成を備える。本変形例においては、エルボータイプに対応させた本体ケース１３Ｄと、当該本体ケース１３Ｄの内部に設けられる電源プラグロック及びロック解除機構（１６Ｄ，１７等）の構成が異なる。
【０１３３】
即ち、電源プラグ変換ユニット１Ｄは、三つの平型ブレード（１１Ｄ，１５）を有するタイプＢＦ（タイプＧ）の電源プラグに相当する形態に形成されている点においては、上述の第５変形例と同様である。
【０１３４】
電源プラグ変換ユニット１Ｄは、一対の第２プラグピンである一対の変換プラグブレード１１Ｄと、第３プラグピンであるアース用ブレード１５と、一対の板状バネ部材である一対の板バネ接片１２Ｄ（図２２では不図示；図２３〜図２５参照）と、本体ケース１３Ｄ（変換ユニット本体ケース）と、ヒューズ１８と、電源プラグロック及びロック解除機構（１６Ｄ，１７）等によって主に構成されている。
【０１３５】
本体ケース１３Ｄは、内部空間を有する箱体である。この本体ケース１３Ｄの一面には、電源プラグ２の一対の電源プラグブレード２１がそれぞれ挿入される一対の第１プラグピン挿入部１３ｃが設けられている。
【０１３６】
本体ケース１３Ｄの上記一面に対して直交する二面のうちの一面からは、一対の変換プラグブレード１１Ｄ及びアース用ブレード１５が外方に向けて突出して配置されている。また、アース用ブレード１５は、本体ケース１３Ｄの内部の固定部分に対し、支軸１５ａ（図２３〜図２５参照）を回転中心として、図２３，図２５の矢印Ｒに沿う方向の所定の範囲内で回動自在に配設されている。このように、一対の変換プラグブレード１１Ｄ及びアース用ブレード１５の構成は、上述の第５変形例と同様である。
【０１３７】
また、本体ケース１３Ｄにおいては、アース用ブレード１５が貫通して突出している部分に、当該アース用ブレード１５が矢印Ｒ方向への回動を許容するための隙間孔１３Ｄｆが設けられている点も、第５変形例と同様である。
【０１３８】
一対の変換プラグブレード１１Ｄの各々は、本体ケース１３Ｄの内部においてそれぞれ所定の位置に固定された一対の板バネ接片１２Ｄのそれぞれの一端に接続されている。その具体的な配線構成は、図示を省略する。
【０１３９】
一対の板バネ接片１２Ｄ（図２３〜図２５参照）のそれぞれは、各第１プラグピン挿入部１３ｃに繋がる内部空間に配置されている。このときの一対の板バネ接片１２Ｄの配置構成は、上述の第５変形例と略同様である。
【０１４０】
ただし、上述の第５変形例の構成では、一対の板バネ接片１２Ｃの各先端部の撓み方向が同じ方向となるように構成されていたのに対し、本変形例においては、一対の板バネ接片１２Ｄは各先端部１２ｂが互いに近付く方向に撓むように構成されている点が異なる。
【０１４１】
この場合において、一対の板バネ接片１２Ｄは、接片連結板１６Ｄが作用することによって、各先端部１２ｂが互いに近付く方向に撓むように構成されている。
【０１４２】
接片連結板１６Ｄは、本体ケース１３Ｄの内部において、連結棒１７Ｄによって、アース用ブレード１５の一部に固定されている。ここで、連結棒１７Ｄは、アース用ブレード１５の突出方向において、やや基端（支軸１５ａ）寄りの部位であって、かつ本体ケース１３Ｄの内部空間にて固定されている。この構成により、アース用ブレード１５が矢印Ｒ方向に回動されると、これに連動して、接片連結板１６Ｄは、当該アース用ブレード１５の突出方向とは略直交する方向（矢印Ｙ１に沿う方向）に移動する。
【０１４３】
接片連結板１６Ｄには、一対の切欠斜面部１６Ｄａが所定の位置に形成されている。この一対の切欠斜面部１６Ｄａは、当該接片連結板１６Ｄが本体ケース１３Ｄの内部において所定の位置に配設されたとき、一対の板バネ接片１２Ｄの各先端部１２ｂに対向する位置に配設されている。そのために、一対の板バネ接片１２Ｄの各先端部１２ｂは、一対の切欠斜面部１６Ｄａのそれぞれに略対応する角度に折り曲げられて形成されている。この場合において、電源プラグ変換ユニット１Ｄが通常状態にある時には、図２３に示すように、一対の板バネ接片１２Ｄの各先端部１２ｂの折り曲げ部分と、一対の切欠斜面部１６Ｄａとは、ほぼ当接した状態とされているのが望ましい。なお、接片連結板１６Ｄ及び連結棒１７Ｄは、非導電性部材によって形成されている。
【０１４４】
また、接片連結板１６Ｄには、アース用ブレード１５の回動に連動して移動する際に、当該接片連結板１６Ｄの移動を案内するガイド溝１６Ｄｂが形成されている。このガイド溝１６Ｄｂは、当該接片連結板１６Ｄが移動すべき方向（矢印Ｙ１方向）に沿って略直線状に形成されている。そして、このガイド溝１６Ｄｂは、本体ケース１３Ｄの内面に形成された案内凸部１３Ｄｇに係合している。
【０１４５】
したがって、この構成により、接片連結板１６Ｄがアース用ブレード１５の回動に連動して移動するとき、案内凸部１３Ｄｇはガイド溝１６Ｄｂに沿って相対的に移動する形態となる。これにより、接片連結板１６Ｄは、所定の方向（アース用ブレード１５が回動するときに押される移動方向（矢印Ｙ１方向）にのみ移動するように構成されている。
【０１４６】
このような構成により、アース用ブレード１５に対して、例えば使用者（ユーザ）が手指等を用いて、図２３，図２４に示す矢印Ｙ１に沿う方向へ外部からの負荷を加える。
【０１４７】
すると、アース用ブレード１５は、当該負荷を受けて、支軸１５ａを回動中心として矢印Ｒ方向に回動する。このとき、アース用ブレード１５は連結棒１７を矢印Ｙ１方向へと押し下げる。これにより、連結棒１７は、接片連結板１６Ｄを同方向Ｙ１方向へと移動させる。
【０１４８】
すると、接片連結板１６Ｄは、一対の板バネ接片１２Ｄのそれぞれの各先端部１２ｂを互いに近付く方向（図２５の矢印Ｐ３方向）に撓ませる。これにより、電源プラグ２の一対の電源プラグブレード２１の各貫通孔２１ａに対する一対の板バネ接片１２Ｄのロック爪１２ａの係合が解除される。したがって、これにより、電源プラグ２を電源プラグ変換ユニット１Ｄから引き抜くことができる。
【０１４９】
このような第６変形例によっても、上述の一実施形態及び各変形例と略同様の効果を得ることができる。
【０１５０】
［第７変形例］（図２６，図２７）
次に、本発明の一実施形態の電源プラグ変換ユニットについての第７変形例を、図２６，図２７を用いて、以下に説明する。
【０１５１】
図２６，図２７は、本発明の一実施形態の電源プラグ変換ユニットの第７変形例の内部構成を概略的に示す図である。このうち、図２６は、本変形例における電源プラグ変換ユニットに電源プラグが接続されている状態であり、通常使用時の状態を示す平面図である。図２７は、図２６の状態における電源プラグ変換ユニットの作用状態、即ち、アース用ブレードに対し所定の方向から所定の力量を加えてロック解除操作を行ったときのロック解除状態を示す平面図である。
【０１５２】
なお、図２６，図２７においては、電源プラグロック及びロック解除機構の作用を示すために、内部構成における電源プラグロック及びロック解除機構以外の構成部材（例えば電気配線やヒューズなど）の図示を省略している。
【０１５３】
第７変形例の基本的な構成は、第６変形例と同様である。当該第７変形例においては、アース用ブレード１５の回動操作に連動して所定の方向（図２６，図２７の矢印Ｙ１方向）に移動して一対の板バネ接片１２Ｅに作用することで、板バネ接片１２Ｅ側のロック爪１２ａと電源プラグブレード２１側の貫通孔２１ａとの係合状態を解除するための接片連結板１６Ｅの構成が若干異なるのみである。したがって、上述の第６変形例と同様の構成については、詳細説明を省略し、異なる部分についてのみ以下に詳述する。
【０１５４】
第７変形例は、上述の第６変形例と同様に、タイプＡの電源プラグ２をタイプＢＦ（タイプＧ）の電源プラグに変換する場合の構成例であり、エルボータイプの電源プラグ変換ユニットの例示である。
【０１５５】
電源プラグ２の構成は、上述の一実施形態及び各変形例において適用されているものと全く同様である。
【０１５６】
本変形例における電源プラグ変換ユニット１Ｅにおいて、電源プラグロック及びロック解除機構を構成する接片連結板１６Ｅは、本体ケース１３Ｅの内部において、連結棒１７Ｅによって、アース用ブレード１５の一部に固定されている。この構成により、アース用ブレード１５が矢印Ｒ方向に回動されると、これに連動して、接片連結板１６Ｅは、矢印Ｙ１方向に移動する。
【０１５７】
接片連結板１６Ｅには、内面側に一対の突状部１６Ｅａが形成されている。この一対の突状部１６Ｅａは、当該接片連結板１６Ｅが本体ケース１３Ｅの内部において所定の位置に配設されたとき、一対の板バネ接片１２Ｅの各先端部１２ｂに対向する位置に配設されている。そのために、一対の板バネ接片１２Ｅの各先端部１２ｂは、一対の突状部１６Ｅａに対してそれぞれが傾斜角を有するように所定の角度で折り曲げられて形成されている。この場合において、電源プラグ変換ユニット１Ｅが通常状態にある時には、図２６に示すように、一対の板バネ接片１２Ｅの各先端部１２ｂの折り曲げ部分と、一対の突状部１６Ｅａの先端とは、ほぼ当接した状態とされているのが望ましい。なお、接片連結板１６Ｅ及び連結棒１７Ｅは、非導電性部材によって形成されている。
【０１５８】
また、接片連結板１６Ｅには、アース用ブレード１５の回動を所定の範囲に規制するための切欠部１６Ｅｂが形成されている。そして、アース用ブレード１５の回動に伴って接片連結板１６Ｅが矢印Ｙ１方向に移動するとき、当該切欠部１６Ｅｂが、本体ケース１３Ｅの内面に形成された案内凸部１３Ｅｇに係合することで、アース用ブレード１５の回動が規制される。
【０１５９】
このような構成により、アース用ブレード１５に対して、例えば使用者（ユーザ）が手指等を用いて、図２３，図２４に示す矢印Ｙ１に沿う方向へ外部からの負荷を加える。
【０１６０】
すると、アース用ブレード１５は、当該負荷を受けて、支軸１５ａを回動中心として所定の方向（第６変形例の図２５の矢印Ｒ方向に相当する方向）へ回動する。このとき、アース用ブレード１５は連結棒１７Ｅを矢印Ｙ１方向へと押し下げる。これにより、連結棒１７Ｅは、接片連結板１６Ｅを同方向Ｙ１方向へと移動させる。
【０１６１】
すると、接片連結板１６Ｅは、一対の突状部１６Ｅａのそれぞれが一対の板バネ接片１２Ｅのそれぞれの各先端部１２ｂを同方向Ｙ１方向へと押圧する。これにより、一対の板バネ接片１２Ｅの各先端部１２ｂは、互いに近付く方向（図２７の矢印Ｐ３方向）に撓む。これにより、電源プラグ２の一対の電源プラグブレード２１の各貫通孔２１ａに対する一対の板バネ接片１２Ｅのロック爪１２ａの係合が解除される。したがって、これにより、電源プラグ２を電源プラグ変換ユニット１Ｅから引き抜くことができる。
【０１６２】
このような第７変形例によっても、上述の一実施形態及び各変形例と略同様の効果を得ることができる。
【０１６３】
［第８変形例］（図２８〜図３０）
次に、本発明の一実施形態の電源プラグ変換ユニットについての第８変形例を、図２８〜図３０を用いて、以下に説明する。
【０１６４】
図２８〜図３０は、本発明の一実施形態の電源プラグ変換ユニットの第８変形例を示す図である。このうち、図２８は、本発明の一実施形態の電源プラグ変換ユニットの第８変形例の外観斜視図である。なお、図２８では電源プラグ変換ユニットに接続される電源プラグを合わせて図示している。ここで、図２８においては、電源プラグ変換ユニットと電源プラグとは非接続状態である。
【０１６５】
図２９は、第８変形例における電源プラグ変換ユニットの内部構成を示す図（平面図，側面図）である。ここで、図２９は、電源プラグ変換ユニットと電源プラグとを接続した状態であって、使用時の通常状態を示している。なお、図２９においては、主に本変形例における電源プラグ変換ユニットの内部機構を示すために、例えば電気配線などの構成物の図示は省略している。また、図２９でも、電源プラグ変換ユニットに接続される電源プラグを合わせて図示している。ここで、図２９においては、電源プラグ変換ユニットに対し電源プラグが接続されている状態を示している。
【０１６６】
図３０は、図２９の状態の電源プラグ変換ユニットにおいてロック状態の解除を行う際の電源プラグロック及びロック解除機構の作用を示す図である。ここで、図３０は、図２９の状態から一対の変換プラグブレードのうちの一方のブレードに対して所定の方向から所定の力量を加えるロック解除操作を行ったときのロック解除状態を示している。
【０１６７】
第８変形例は、一対の変換プラグブレード１１Ｆのうちの一つを押圧移動操作（図２８の矢印符号Ｘ３方向（ブレードの突出方向に対して直交する方向）への移動操作）を行うことによって、当該一つの変換プラグブレード１１Ｆが一対の板バネ接片１２Ｆに作用して、一対の板バネ接片１２Ｆのロック爪１２ａと電源プラグブレード２１の貫通孔２１ａとの係合を解除する構成を示している。
【０１６８】
なお、第８変形例は、タイプＡの電源プラグ２をタイプＢＦ（タイプＧ）の電源プラグに変換する場合の構成例であり、ストレートタイプの電源プラグ変換ユニットの例示である。この点においては、上述の第５変形例と同様である。
【０１６９】
一方、当該第８変形例では、一対の電源プラグブレードの並び方向が第５変形例とは異なる。即ち、一対の電源プラグブレードの並び方向において、第５変形例では、図１８の矢印Ｙ方向に並べて配置される一方、本変形例においては、図２８の矢印Ｘ方向に並べて配置される点において異なる。そのために、第５変形例ではアース用ブレード１５の回動操作によって一対の板バネ接片を移動させるのに対し、本変形例では一対の変換プラグブレード１１Ｆのうちの一つを押圧移動操作して一対の板バネ接片１２Ｆを移動させる構成としている。
【０１７０】
電源プラグ２の構成は、上述の一実施形態及び各変形例において適用されているものと全く同様である。
【０１７１】
電源プラグ変換ユニット１Ｆは、一対の第２プラグピンである一対の変換プラグブレード１１Ｆと、第３プラグピンであるアース用ブレード１５と、一対の板状バネ部材である一対の板バネ接片１２Ｆ（図２８では不図示；図２９，図３０参照）と、変換ユニット本体ケース１３Ｆ（単に本体ケース１３Ｆと略記する）と、ヒューズ１８と、電源プラグロック及びロック解除機構（１６Ｆ，１７Ｆ）等によって主に構成されている。
【０１７２】
本体ケース１３Ｆは、内部空間を有する箱体である。この本体ケース１３Ｆの一面には、電源プラグ２の一対の電源プラグブレード２１がそれぞれ挿入される一対の第１プラグピン挿入部１３ｃが設けられている。
【０１７３】
本体ケース１３Ｆの上記一面に対向する他面からは、三つの平型ブレード、即ち、一対の変換プラグブレード１１Ｆ及びアース用ブレード１５が外方に向けて突出して配置されている。
【０１７４】
ここで、一対の変換プラグブレード１１Ｆのうちの一方の変換プラグブレード１１Ｆは、本体ケース１３Ｆの内部において、後述する電源プラグロック及びロック解除機構における接片連結板１６Ｆの一部に対し固定されている。また、当該一方の変換プラグブレード１１Ｆの基端部は、電源プラグロック及びロック解除機構における連結棒１７を介在させて一対の板バネ接片１２Ｆのうちの一方の板バネ接片１２Ｆと接続されている。
【０１７５】
また、一対の変換プラグブレード１１Ｆのうちの他方の変換プラグブレード１１Ｆは、本体ケース１３Ｆの内部のヒューズ１８の一端に接続されて固定されている。アース用ブレード１５は、本体ケース１３Ｆの内部の固定部分に対して固定されている。
【０１７６】
一方、本体ケース１３Ｆの内部には、一対の板バネ接片１２Ｆがそれぞれ所定の位置に固定されている。ここで、一対の板バネ接片１２Ｆは、それぞれが一対の第１プラグピン挿入部１３ｃのそれぞれの近傍に配置されている。そして、一対の第１プラグピン挿入部１３ｃのそれぞれに電源プラグ２の一対の電源プラグブレード２１のそれぞれが挿入されたとき、一対の板バネ接片１２Ｆのそれぞれには、一対の電源プラグブレード２１のそれぞれが接触し、電気的に接続されるように構成されている（図２９に示す状態参照）。
【０１７７】
そして、一対の板バネ接片１２Ｆのそれぞれの先端部分は、接片連結板１６Ｆの一部に対し、それぞれ所定の位置にて固定されている。つまり、一対の板バネ接片１２Ｆのそれぞれは、接片連結板１６Ｆによって連結されている。なお、接片連結板１６Ｆは、非導電性部材によって形成されている。
【０１７８】
したがって、この構成により、一対の変換プラグブレード１１Ｆの一方の変換プラグブレード１１Ｆを、図２８の矢印Ｘ３方向に移動させると、本体ケース１３Ｆの内部で接片連結板１６Ｆも同方向に移動する。これにより、一対の板バネ接片１２Ｆは、その先端部分が接片連結板１６Ｆと共に矢印Ｘ３方向に移動する。したがって、当該一対の板バネ接片１２Ｆの先端部分は、いずれも矢印Ｘ３方向へと撓むように構成されている。
【０１７９】
上述したように、一対の変換プラグブレード１１Ｆの一方の変換プラグブレード１１Ｆは、図２８の矢印Ｘ３方向に移動するため、本体ケース１３Ｆには、当該一方の変換プラグブレード１１Ｆが貫通して突出している部分に、当該変換プラグブレード１１Ｆの矢印Ｘ３方向への移動を許容するための隙間孔１３Ｆｆが設けられている。その他の構成は、上述の一実施形態及び各変形例と略同様である。
【０１８０】
このような構成により、一対の変換プラグブレード１１Ｆの一方の変換プラグブレード１１Ｆに対して、例えば使用者（ユーザ）が手指等を用いて、図２８，図２９に示す矢印Ｘ３方向へ外部からの負荷を加える。
【０１８１】
すると、当該一方の変換プラグブレード１１Ｆは、当該負荷を受けて、同矢印Ｘ３方向へ移動する。このとき、当該一方の変換プラグブレード１１Ｆは接片連結板１６Ｆを矢印Ｘ３方向へと移動させる。これに連動して、一対の板バネ接片１２Ｆの先端部分も、接片連結板１６Ｆと共に同方向Ｘ３方向へと移動して、当該一対の板バネ接片１２Ｆの先端部分を矢印Ｘ３方向へと撓ませる。これにより、電源プラグ２の一対の電源プラグブレード２１の各貫通孔２１ａに対する一対の板バネ接片１２Ｃのロック爪１２ａの係合が解除される。したがって、これにより、電源プラグ２を電源プラグ変換ユニット１Ｆから引き抜くことができる。
【０１８２】
このような第８変形例によっても、上述の一実施形態及び各変形例と略同様の効果を得ることができる。
【０１８３】
［第９変形例］（図３１〜図３４）
次に、本発明の一実施形態の電源プラグ変換ユニットについての第９変形例を、図３１〜図３４を用いて、以下に説明する。
【０１８４】
図３１〜図３４は、本発明の一実施形態の電源プラグ変換ユニットの第９変形例を示す図である。このうち、図３１は、本発明の一実施形態の電源プラグ変換ユニットの第９変形例の外観斜視図である。なお、図３１では電源プラグ変換ユニットに接続される電源プラグを合わせて図示している。ここで、図３１においては、電源プラグ変換ユニットと電源プラグとは非接続状態である。
【０１８５】
図３２は、第９変形例における電源プラグ変換ユニットの内部構成を示す三面図（上面図，平面図，側面図）である。なお、図３２においては、主に本変形例における電源プラグ変換ユニットの内部機構を示すために、例えば電気配線などの構成物の図示は省略している。また、図３２でも、電源プラグ変換ユニットに接続される電源プラグを合わせて図示している。ここで、図３２においては、電源プラグ変換ユニットに対し電源プラグが接続されている状態を示している。図３３は、本変形例における電源プラグ変換ユニットの分解構成図である。
【０１８６】
図３４は、本発明の一実施形態の電源プラグ変換ユニットの第９変形例においてロック状態の解除を行う際の電源プラグロック及びロック解除機構の作用（ロック解除状態）を示す三面図（上面図，平面図，側面図）である。なお、図３３，図３４においては、電源プラグロック及びロック解除機構を示すために、内部構成における電源プラグロック及びロック解除機構以外の構成部材（例えば電気配線など）の図示を省略している。
【０１８７】
この第９変形例の基本的な構成は、上述の第８変形例と略同様である。即ち、本変形例は、上述の第８変形例と同様に、タイプＡの電源プラグ２をタイプＢＦ（タイプＧ）の電源プラグに変換する場合の構成例である。ただし、本変形例は、エルボータイプの電源プラグ変換ユニットの例示である。したがって、上述の第８変形例と同様の構成については、詳細説明を省略し、異なる部分についてのみ以下に詳述する。
【０１８８】
第９変形例は、一対の変換プラグブレード１１Ｇのうちの一つを押圧操作（図３１の矢印Ｙ２方向）を行うと、当該一つの変換プラグブレード１１Ｇが一対の板バネ接片１２Ｆのうちの一方の板バネ接片１２Ｆに作用して、当該一方の板バネ接片１２Ｆが図３１の矢印Ｒ２方向に回動するように撓ませる。これと同時に、上記一つの変換プラグブレード１１Ｇは、接片連結板１６Ｇを図３１の矢印Ｙ２方向へ移動させる。これにより、一対の板バネ接片１２Ｆの他方の板バネ接片１２Ｆをも、図３１の矢印Ｒ２方向に回動させて撓ませる。この作用により、一対の板バネ接片１２Ｆのロック爪１２ａと電源プラグブレード２１の貫通孔２１ａとの係合を解除する構成を示している。
【０１８９】
本変形例における電源プラグ変換ユニット１Ｇは、基本的には上述の第８変形例と略同様の構成である。本変形例においては、エルボータイプに対応させた本体ケース１３Ｇと、当該本体ケース１３Ｇの内部に設けられる電源プラグロック及びロック解除機構（接片連結板１６Ｇ）の構成などが異なる。
【０１９０】
電源プラグ変換ユニット１Ｇは、一対の第２プラグピンである一対の変換プラグブレード１１Ｇと、第３プラグピンであるアース用ブレード１５と、一対の板状バネ部材である一対の板バネ接片１２Ｇ（図３１では不図示；図３２〜図３４参照）と、本体ケース１３Ｇ（変換ユニット本体ケース）と、ヒューズ１８と、電源プラグロック及びロック解除機構（接片連結板１６Ｇ）等によって主に構成されている。
【０１９１】
一対の変換プラグブレード１１Ｇのうちの一方の変換プラグブレード１１Ｇの基端部は、本体ケース１３Ｇの内部において、一対の板バネ接片１２Ｆのうちの一方の板バネ接片１２Ｆと接続されていると共に、一部が接片連結板１６Ｇに対して回動自在に固定されている。
【０１９２】
また、一対の変換プラグブレード１１Ｆのうちの他方の変換プラグブレード１１Ｆは、本体ケース１３Ｇの内部のヒューズ１８の一端に接続されて固定されている。アース用ブレード１５は、本体ケース１３Ｇの内部の固定部分に対して固定されている。
【０１９３】
一方、本体ケース１３Ｇの内部には、一対の板バネ接片１２Ｇがそれぞれ所定の位置に固定されている。ここで、一対の板バネ接片１２Ｇは、それぞれが一対の第１プラグピン挿入部１３ｃのそれぞれの近傍に配置されている。そして、一対の第１プラグピン挿入部１３ｃのそれぞれに電源プラグ２の一対の電源プラグブレード２１のそれぞれが挿入されたとき、一対の板バネ接片１２Ｇのそれぞれには、一対の電源プラグブレード２１のそれぞれが接触し、電気的に接続されるように構成されている（図３２に示す状態参照）。
【０１９４】
そして、一対の板バネ接片１２Ｇのそれぞれの先端部分は、接片連結板１６Ｇの一部に対し、それぞれ所定の位置にて固定されている。つまり、一対の板バネ接片１２Ｇのそれぞれは、接片連結板１６Ｇによって連結されている。なお、接片連結板１６Ｇは、非導電性部材によって形成されている。
【０１９５】
また、本体ケース１３Ｇには、当該一方の変換プラグブレード１１Ｇが貫通して突出している部分に、当該変換プラグブレード１１Ｇの矢印Ｒ２方向（矢印Ｙ２方向）への移動を許容するための隙間孔１３Ｇｆが設けられている。その他の構成は、上述の第８変形例と略同様である。
【０１９６】
このような構成により、一対の変換プラグブレード１１Ｇの一方の変換プラグブレード１１Ｇに対して、例えば使用者（ユーザ）が手指等を用いて、図３１に示す矢印Ｒ２方向へ外部からの負荷を加える。
【０１９７】
すると、当該一方の変換プラグブレード１１Ｇは、当該負荷を受けて、図３４に示すように矢印Ｒ２方向へ回動する。このとき、当該一方の変換プラグブレード１１Ｇは接片連結板１６Ｇを矢印Ｙ２方向へと移動させる。これに連動して、一対の板バネ接片１２Ｇの先端部分も、接片連結板１６Ｇと共に同方向Ｙ２方向へと移動して、当該一対の板バネ接片１２Ｇの先端部分を矢印Ｙ２方向へと撓ませる。これにより、図３４に示すように、電源プラグ２の一対の電源プラグブレード２１の各貫通孔２１ａに対する一対の板バネ接片１２Ｃのロック爪１２ａの係合が解除される。したがって、これにより、電源プラグ２を電源プラグ変換ユニット１Ｆから引き抜くことができる。
【０１９８】
このような第９変形例によっても、上述の一実施形態及び各変形例と略同様の効果を得ることができる。
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１９９】
１，１Ａ，１Ｂ，１Ｃ，１Ｄ，１Ｅ，１Ｆ，１Ｇ……電源プラグ変換ユニット
２……電源プラグ
２Ａ……電源プラグ付きＡＣアダプタ
１１，１１Ｃ，１１Ｄ，１１Ｆ，１１Ｇ……変換プラグブレード
１２，１２Ｂ，１２Ｃ，１２Ｄ，１２Ｅ，１２Ｆ，１２Ｇ……板バネ接片
１２ａ……ロック爪
１２ｂ……先端部
１３，１３Ａ，１３Ｃ，１３Ｄ，１３Ｅ，１３Ｆ，１３Ｇ……変換ユニット本体ケース（本体ケース）
１３ａ……カバー係止部
１３ｂ……開口
１３ｃ……第１プラグピン挿入部
１３ｄ……内部空間
１３ｅ……固定支持部
１３Ｃｆ，１３Ｄｆ，１３Ｆｆ，１３Ｇｆ……隙間孔
１３Ｄｇ，１３Ｅｇ……案内凸部
１４……安全カバー
１４ａ……カバー被係止凸部
１４ｂ……ヒンジ
１５……アース用ブレード
１５ａ……支軸
１６，１６Ｄ，１６Ｅ，１６Ｆ，１６Ｇ……接片連結板
１６Ｄａ……切欠斜面部
１６Ｄｂ……ガイド溝
１６Ｅａ……突状部
１６Ｅｂ……切欠部
１７……左右連結板連結棒
１７Ｄ，１７Ｅ……連結棒
１８……ヒューズ
２１……電源プラグブレード
２１ａ……貫通孔（孔）
２２……プラグ本体
２２Ａ……プラグ本体ケース
２２Ａａ……端子部
２３……電源ケーブル
２３Ａ……ＵＳＢケーブル
２３Ａａ……コネクタ部
【図１】
2020047579.tif 000003
【図２】
2020047579.tif 000004
【図３】
2020047579.tif 000005
【図４】
2020047579.tif 000006
【図５】
2020047579.tif 000007
【図６】
2020047579.tif 000008
【図７】
2020047579.tif 000009
【図８】
2020047579.tif 000010
【図９】
2020047579.tif 000011
【図１０】
2020047579.tif 000012
【図１１】
2020047579.tif 000013
【図１２】
2020047579.tif 000014
【図１３】
2020047579.tif 000015
【図１４】
2020047579.tif 000016
【図１５】
2020047579.tif 000017
【図１６】
2020047579.tif 000018
【図１７】
2020047579.tif 000019
【図１８】
2020047579.tif 000020
【図１９】
2020047579.tif 000021
【図２０】
2020047579.tif 000022
【図２１】
2020047579.tif 000023
【図２２】
2020047579.tif 000024
【図２３】
2020047579.tif 000025
【図２４】
2020047579.tif 000026
【図２５】
2020047579.tif 000027
【図２６】
2020047579.tif 000028
【図２７】
2020047579.tif 000029
【図２８】
2020047579.tif 000030
【図２９】
2020047579.tif 000031
【図３０】
2020047579.tif 000032
【図３１】
2020047579.tif 000033
【図３２】
2020047579.tif 000034
【図３３】
2020047579.tif 000035
【図３４】
2020047579.tif 000036